(57)【特許請求の範囲】
【請求項１】
仮設和式トイレの和式便器にかぶせて使用される洋式便座であり、前記仮設和式トイレが、デッキの上に足踏み式給水ポンプを作動させる作動部が設置された簡易水洗式の和式トイレであり、前記デッキの上に置かれるスペーサ兼用の本体カバーと、前記本体カバーの上部に設置された便座と、前記本体カバーの左右に張り出し前記本体カバーの左右のデッキを覆うデッキカバーと、さらに前記作動部を手動で作動させるプレス部材からなることを特徴とする仮設トイレの洋式便座。
【請求項２】
さらに便座カバーを有することを特徴とする請求項１に記載された仮設トイレの洋式便座。
【発明の詳細な説明】
【技術分野】
【０００１】
本発明は、仮設和式トイレを、必要なとき簡単に洋式トイレに変更できるようにするための洋式便座に関する。
【背景技術】
【０００２】
工事現場や公園、イベント会場等に設営される仮設トイレは、レンタル業者が借り主側の注文に応じて和式又は洋式トイレを提供する。洋式トイレの注文は少ないが、レンタル会社としては一定数の洋式トイレを所持、保管しておく必要があり、その在庫負担が大きくなっている。また、和式トイレは完成した形（組み立てた状態）で用意されているものも多いが、洋式トイレの注文は少ないため、洋式トイレを完成した形で用意しておくことはほとんどなく、注文があったとき洋式トイレを組み立てることが多い。特許文献１に簡易水洗式の仮設トイレの一例が記載されている。なお、簡易水洗式仮設トイレには、水タンクと、水タンク内の水を便器内に流すためのポンプが設置されている。
【０００３】
特許文献２には、簡易水洗式の仮設和式トイレを、必要に応じて洋式トイレに変更できる仮設トイレが記載されている。この仮設和式トイレは、便槽の上に平らなフロアパネルが設置され、フロアパネルの上に水タンク兼デッキが設置され、水タンク兼デッキに和式便器が収容され、フロアパネルに便槽に通じる開口が形成され、和式便器の汚物流出口が前記開口内に配置され、周囲が前面ドア付きの四角いボックスで囲繞された一般的な簡易水洗式の仮設和式トイレである。
【０００４】
この仮設和式トイレを洋式トイレに変更するときは、水タンク兼デッキ及び和式便器をフロアパネルから取り外し、別の水タンクをフロアパネル上（ボックスの奥側）に設置し、次いで洋式便器を上に取り付けたアダプターパネルをフロアパネル上に設置する。アダプターパネルにはフロアパネルの開口より小さい洋式便器用開口が形成されており、アダプターパネルの設置に際し、アダプターパネルの洋式便器用開口がフロアパネルの開口の内側に入るようにする。前記アダプターパネル（洋式便器付き）を用いることで、簡易水洗式の仮設和式トイレを、簡単に洋式トイレに変更できる。
【先行技術文献】
【特許文献】
【０００５】
【特許文献１】特開２０１５−５４０５３号公報
【特許文献２】特開２０１４−１７３３２０号公報
【発明の概要】
【発明が解決しようとする課題】
【０００６】
特許文献２の方式によれば、仮設和式トイレを簡単に洋式トイレに変更できるが、洋式トイレ用の水タンク、洋式便器及びアダプターパネル等をストックしておく必要があり、そのコストと保管スペースの負担が比較的大きく、逆に洋式トイレに変更後は、取り外した和式トイレ用の水タンク兼デッキ及び和式便器の保管スペースの負担が比較的大きい。また、和式→洋式又は洋式→和式の変更作業は熟練した業者が行う必要があり、例えば仮設トイレの設営場所等において、主催者らが必要に応じてこの変更作業を実施することは困難である。
【０００７】
一方、家庭用の和式トイレを洋式トイレに変更するためのものとして、和式便器の上にかぶせる（和式トイレのデッキの上に載せる）タイプの洋式便座が市販されている。このタイプの洋式便座は、和式便器の周囲を覆う筒状の本体カバーと、この本体カバーの上部に設置された便座及び便座カバーからなり、本体カバーは和式便器を覆うと共に、和式トイレのデッキの高さと洋式トイレの便座の高さの差を調整するスペーサの機能を兼用する。
仮設和式トイレにおいても、和式便器にこのタイプの洋式便座をかぶせて、洋式トイレに変更することが考えられる。このタイプの洋式便座は、特許文献２の洋式トイレ用の水タンク、洋式便器及びアダプターパネルのセットより安価で大きい保管スペースを必要とせず、和式トイレを洋式トイレに変更するに当たって和式便器等はそのままにしておいてよいため、取り外した和式便器等の保管スペースを必要としない。また、洋式便座は和式便器の上にかぶせるだけで設置できるので、熟練者でなくても設置が可能である。
【０００８】
しかし、仮設和式トイレのデッキは、家庭用和式トイレのデッキと異なり、普段は土足で踏みつけられているため不潔感があり、また一般的なプラスチックのデッキでは表面から汚れの痕跡がとり切れず、表面がけば立った状態になっているものも多く、見た目にも不潔な感じがする。仮設和式トイレのデッキ上にこの洋式便座を設置した場合、使用者が腰掛ける便座の位置はデッキより少し高い位置となるが、体に近い位置に不潔感のあるデッキがあること、及びついデッキの表面に手を突いたり洋服の裾が触れたりすることで、使用者が不潔な思いをすることは容易に推測できる。また、使用者が仮設トイレに小物を持ち込んだとき、用を足す間デッキ上に置くことは躊躇すると思われる。
【０００９】
本発明は、仮設和式トイレに上記タイプの洋式便座を設置する場合に、デッキの不潔感を解消できる洋式便座を提供することを目的とする。
【課題を解決するための手段】
【００１０】
本発明に係る洋式便座は、仮設和式トイレを洋式トイレに変更する際に、前記仮設和式トイレの便器にかぶせて使用される洋式便座であり、前記仮設和式トイレが、デッキの上に足踏み式給水ポンプを作動させる作動部が設置された簡易水洗式の仮設和式トイレであり、前記デッキの上に置かれるスペーサ兼用の本体カバーと、前記本体カバーの上部に設置された便座と、前記本体カバーの左右に張り出し前記本体カバーの左右のデッキを覆うデッキカバーと、さらに前記作動部を押す手動のプレス部材からなる。
前記洋式便座は、さらに便座カバーを有することが好ましい。
【発明の効果】
【００１１】
本発明に係る洋式便座を仮設和式トイレの和式便器にかぶせ、仮設和式トイレを洋式トイレに変更した場合、和式便器の左右のデッキが洋式便座のデッキカバーに覆われる。同デッキカバーは土足で踏みつけられていないため清潔感があり、使用者が手を突いたり洋服の裾が触れても不潔な思いをしなくてすむ。また、デッキカバーの上にバッグや携帯、小物類を置くことも、躊躇なく行えるようになる。
【図面の簡単な説明】
【００１２】
【図１】本発明に係る仮設和式トイレの前方側斜視図である。
【図２】図１に示す仮設トイレに設置された水タンク兼デッキ及び和式便器の斜視図である。
【図３】図２に示す和式便器にかぶせる洋式便座の斜視図である。
【発明を実施するための形態】
【００１３】
以下、図１〜図３を参照して、本発明に係る仮設トイレの洋式便座について、具体的に説明する。
図１に示す仮設和式トイレは、特許文献２と同様に、簡易水洗式で、ボックス１内に水タンク兼デッキ２が設置され、水タンク兼デッキ２の左右方向中央部に和式便器３が収容されている。ボックス１は、前面壁４（ドアは図示せず）、左右の側面壁５，６、後面壁７、及び天井壁８からなり、ボックス１の下部にフロアパネル９が配置され、その下部に図示しない便槽が取り付けられる。ボックス１の各壁、ドア、フロアパネル９及び便槽は、特許文献１，２に記載されたものと同様に、いずれもプラスチックのブロー成形体とすることができる。
【００１４】
水タンク兼デッキ２には、図２に示すように、足踏み式給水ポンプ１１が設置され、このポンプの作動部（水タンク兼デッキ２の上に突出した箇所）１１ａを踏むことにより水タンク兼デッキ２内の水が和式便器３に流れ、和式便器３を洗浄する。和式便器３内に流れた水は、汚物と共に和式便器３の汚物流出口（図示せず）を通り、便槽内に流下する。なお、前記汚物流出口は、筒状で下方に延び、フロアパネル９に形成された開口内に配置されている。以上述べた水タンク兼デッキ２の構造は、基本的に特許文献２に記載された水タンク兼デッキと同様である。
【００１５】
図３に示す洋式便座１２は、前記和式便器３の周囲を覆うスペーサ兼用の本体カバー１３と、本体カバー１３の上部に設置された便座１４と、その便座１４の上に設置された便座カバー１５と、本体カバー１３の下端において左右に張り出した平らな板状のデッキカバー１６，１６を備える。便座１４と便座カバー１５は、いずれも本体カバー１３の上部に、後方側を支軸として上下に開閉可能に設置されている。また、洋式便座１２は、前後方向に揺動可能な操作レバー１８（プレス部材）を備える。この操作レバー１８は、本体カバー１３から水平に突出するブラケット１７に下端を支持されている。なお、本体カバー１３、便座１４、便座カバー１５、デッキカバー１６，１６、ブラケット１７及び操作レバー１８は、いずれもプラスチック製とすることができ、特に本体カバー１３とデッキカバー１６，１６は一体の（つながった）プラスチック製とすることが好ましい。
【００１６】
仮設和式トイレを仮設洋式トイレに変更する際は、洋式便座１２を和式便器３にかぶせ、デッキ上（水タンク兼デッキ２の上）に置く。この点は、市販の洋式便座を用いて家庭用の和式トイレを洋式トイレに変更するときと同様である。
洋式便座１２を和式便器３にかぶせたとき、本体カバー１３は和式便器３の周囲を覆い、和式便器３の周囲のデッキ上（水タンク兼デッキ２の上）に置かれる。本体カバー１３の高さは、使用者が便座１４に腰掛け、フロアパネル９に足をおいたときちょうどよい高さとなるように適宜設定される。その意味で、本発明では本体カバー１３についてスペーサ兼用（和式便器３との間に所定の間隔を置くとの意）と称している。デッキカバー１６，１６はデッキ上（水タンク兼デッキ２の上）に置かれ、本体カバー１３の左右において水タンク兼デッキ２の上を覆う。デッキカバー１６，１６の平面視サイズは、ボックス１内における水タンク兼デッキ２の水平面の広さの範囲内で適宜設定することができる。ブラケット１７及び操作レバー１８は、足踏み式給水ポンプ１１の後ろ側に配置される。使用者がレバー１８を前方に引き傾斜させることにより、操作レバー１８の中間部が作動部１１ａを押し下げ（プレスし）、仮設和式トイレのときと同様に、水タンク兼デッキ２内の水を和式便器３に流すことができる。
このような仮設洋式トイレから、かぶせていた洋式便座１２を取り外し、ボックス１外に搬出すると、そのまま仮設和式トイレとして使用できる。
【符号の説明】
【００１７】
１  ボックス
２  水タンク兼デッキ
３  和式便器
９  フロアパネル
１１  足踏み式給水ポンプ
１２  洋式便座
１３  本体カバー
１４  便座
１５  便座カバー
１６  デッキカバー
１８  操作レバー
【図１】
0006514966.tif 000002
【図２】
0006514966.tif 000003
【図３】
0006514966.tif 000004